(57)【要約】  インターネット上のオーディオデータを、対応する動画データと共に再生できる情報記録媒体、その再生装置及び方法が開示される。情報記録媒体に保存された動画データ、情報記録媒体以外のソースから獲得されたオーディオデータ、及びオーディオマッピングデータを読み込むリーダと、オーディオマッピングデータに含まれた動画データとオーディオデータとのマッピング関係を表す情報を処理して、その内容によって動画データとオーディオデータとの対応関係を指示するマッピング処理部と、動画データ及びオーディオデータをデコーディングするデータデコーダと、オーディオマッピングデータの内容によってデコーディングされた動画データとそれに対応するデコーディングされたオーディオデータとを共に出力するデータ出力部と、を備える再生装置。
2007501485.tif 000002
【特許請求の範囲】
【請求項１】
情報記録媒体において、
動画データと、
前記動画データと前記情報記録媒体以外のソースから獲得されるオーディオデータとのマッピング関係を表すオーディオマッピングデータと、を含み、
前記オーディオデータは、前記オーディオマッピングデータによって前記動画データのうち対応する部分と共に再生されることを特徴とする情報記録媒体。
【請求項２】
前記動画データは、前記情報記録媒体の論理的記録単位である複数のセルに保存され、
前記オーディオマッピングデータは、前記動画データのセル単位で前記オーディオデータを対応させることを特徴とする請求項１に記載の情報記録媒体。
【請求項３】
前記動画データは、前記情報記録媒体の論理的記録単位である複数のセルとして保存され、
前記オーディオマッピングデータは、セルのグループ単位で前記オーディオデータを対応させることを特徴とする請求項１に記載の情報記録媒体。
【請求項４】
前記動画データは、ビデオクリップ単位で保存され、
前記オーディオマッピングデータは、前記動画データのクリップ単位で前記オーディオデータを対応させることを特徴とする請求項１に記載の情報記録媒体。
【請求項５】
前記動画データは、ビデオクリップ単位で保存され、
前記オーディオマッピングデータは、前記動画データのクリップの一部分に前記オーディオデータをマッピングすることを特徴とする請求項１に記載の情報記録媒体。
【請求項６】
前記動画データは、ビデオクリップ単位で保存され、
前記オーディオマッピングデータは、前記動画データのクリップの一部分または複数のクリップの部分に対応するプレイリストに前記オーディオデータをマッピングすることを特徴とする請求項１に記載の情報記録媒体。
【請求項７】
前記オーディオマッピングデータは、前記動画データについての情報及び対応するオーディオデータの外部ソースアドレスを記述したマークアップ言語文書で定義されることを特徴とする請求項１に記載の情報記録媒体。
【請求項８】
情報記録媒体に保存された動画データ、前記情報記録媒体以外のソースからのオーディオデータ、及びオーディオマッピングデータを読み込むリーダと、
前記オーディオマッピングデータに含まれた前記動画データと前記オーディオデータとのマッピング関係を表すマッピングデータを処理して、その内容によって、前記動画データとオーディオデータとの対応関係を指示するマッピング処理部と、
前記動画データ及びオーディオデータをデコーディングするデータデコーダと、
前記オーディオマッピングデータの内容によって、前記デコーディングされた動画データとそれに対応するデコーディングされたオーディオデータとを共に出力するデータ出力部と、を備えることを特徴とする再生装置。
【請求項９】
前記リーダは、ユーザが入力したオーディオマッピングデータのアドレスを利用して、前記情報記録媒体以外のソースからオーディオマッピングデータを読み込むことを特徴とする請求項８に記載の再生装置。
【請求項１０】
前記リーダは、情報記録媒体に保存されたオーディオマッピングデータのアドレスを利用して、前記情報記録媒体以外のソースからオーディオマッピングデータを読み込むことを特徴とする請求項８に記載の再生装置。
【請求項１１】
前記リーダは、前記情報記録媒体に保存されたマークアップ言語文書をさらに読み込み、
前記マークアップ言語文書に定義された命令を解析して、前記リーダにオーディオマッピングデータのアドレスを送るか、または前記マッピング処理部にオーディオマッピングデータを送るマークアップ言語解析器をさらに備えることを特徴とする請求項８に記載の再生装置。
【請求項１２】
前記リーダは、情報記録媒体に保存されたオーディオマッピングデータを読み込むことを特徴とする請求項８に記載の再生装置。
【請求項１３】
情報記録媒体に保存された動画データを読み込むステップと、
前記動画データと前記情報記録媒体以外のソースから獲得されるオーディオデータとのマッピング関係を表すオーディオマッピングデータを読み込むステップと、
前記オーディオマッピングデータが前記動画データにマッピングしているオーディオデータを前記情報記録媒体以外のソースから読み込むステップと、
前記オーディオマッピングデータの内容によって前記動画データと前記動画データにマッピングされるオーディオデータとを共に再生するステップと、を含むことを特徴とする再生方法。
【請求項１４】
前記オーディオマッピングデータを読み込むステップは、ユーザが入力したアドレスを利用して、前記情報記録媒体以外のソースから前記オーディオマッピングデータを読み込むことを特徴とする請求項１３に記載の再生方法。
【請求項１５】
前記オーディオマッピングデータを読み込むステップは、情報記録媒体に保存されたアドレスを利用して、前記情報記録媒体以外のソースから前記オーディオマッピングデータを読み込むことを特徴とする請求項１３に記載の再生方法。
【請求項１６】
前記オーディオマッピングデータを読み込むステップは、
前記情報記録媒体に保存されたマークアップ言語文書を読み込むステップと、
前記マークアップ言語文書に定義された命令を実行してオーディオマッピングデータを読み込むステップと、を含むことを特徴とする請求項１３に記載の再生方法。
【請求項１７】
前記オーディオマッピングデータを読み込むステップは、
複数の選択事項を含むオーディオリスト情報を前記情報記録媒体以外のソースから読み込んでユーザに見せ、ユーザに前記オーディオリストのうち一つを選択させるステップと、
ユーザが選択した事項と関連したオーディオマッピングデータを読み込むステップと、を含むことを特徴とする請求項１３に記載の再生方法。
【請求項１８】
前記オーディオリスト情報を読み込むステップは、オーディオデータが録音された複数の言語に対応するオーディオリストのうち、ユーザが所望する言語に対応するオーディオリストを選択させるステップであり、
前記ユーザが選択した事項と関連したオーディオマッピングデータを読み込むステップは、ユーザが選択した言語と関連したオーディオマッピングデータを読み込むステップであり、
前記動画データにマッピングしているオーディオデータを読み込むステップは、ユーザが選択した言語で録音された音声データを読み込むステップであることを特徴とする請求項１７に記載の再生方法。
【請求項１９】
前記オーディオリスト情報を読み込むステップは、異なる用途に対応するオーディオリストのうち、ユーザが所望する用途に対応するオーディオリストを選択させるステップであり、
前記ユーザが選択した事項と関連したオーディオマッピングデータを読み込むステップは、ユーザが選択した用途と関連したオーディオマッピングデータを読み込むステップであり、
前記動画データにマッピングしているオーディオデータを読み込むステップは、ユーザが選択した用途に対応するオーディオデータを読み込むステップであることを特徴とする請求項１７に記載の再生方法。
【請求項２０】
前記オーディオリスト情報を読み込むステップは、ユーザが前記動画データと共に動画のオーディオデータを聞くか、あるいは動画の製作者の説明を含むオーディオデータを聞くか、ユーザに選択させるステップであることを特徴とする請求項１９に記載の再生方法。
【請求項２１】
前記オーディオリスト情報を読み込むステップは、
情報記録媒体に保存されたマークアップ言語文書を読み込むステップと、
前記マークアップ言語文書に定義された命令を実行して前記オーディオリストデータを読み込むステップと、を含むことを特徴とする請求項１７に記載の再生方法。
【請求項２２】
前記オーディオデータは、オーディオストリーミングサービスを利用して読み込むオーディオストリームデータであり、
前記動画データにマッピングしているオーディオデータを読み込むステップと前記動画データを再生するステップとは、同時に行われることを特徴とする請求項１３に記載の再生方法。
【請求項２３】
前記オーディオマッピングデータを読み込むステップは、前記情報記録媒体に保存されたオーディオマッピングデータを読み込むステップであることを特徴とする請求項１３に記載の再生方法。
【請求項２４】
前記情報記録媒体以外のソースは、インターネットであることを特徴とする請求項１に記載の情報記録媒体。
【請求項２５】
前記情報記録媒体以外のソースは、インターネットであることを特徴とする請求項８に記載の再生装置。
【請求項２６】
前記情報記録媒体以外のソースは、インターネットであることを特徴とする請求項１３に記載の再生方法。
【請求項２７】
遠隔位置で獲得されたオーディオデータを情報記録媒体に保存された動画データにマッピングするステップと、
オーディオマッピングデータを利用して、前記オーディオデータを前記動画データと共に再生するステップと、を含むことを特徴とする情報再生方法。
【請求項２８】
前記オーディオマッピングデータは、前記動画データを含む前記情報記録媒体に保存されることを特徴とする請求項２７に記載の情報再生方法。
【請求項２９】
前記オーディオマッピングデータは、前記情報記録媒体が製造された後、インターネットを通じて配布されることを特徴とする請求項２７に記載の情報再生方法。
【請求項３０】
前記オーディオデータが獲得される前記遠隔位置は、インターネットであることを特徴とする請求項２７に記載の情報再生方法。
【請求項３１】
情報記録媒体及び遠隔位置からデータを読み込み、動画データ、オーディオデータ及びマッピングデータを出力するリーダと、
前記マッピングデータを処理してオーディオマッピングデータを出力するマッピング処理部と、
前記動画データ及びオーディオデータをデコーディングするデコーダと、
前記出力されたマッピングデータを利用して、前記オーディオデータと前記動画データとを共に再生するデータ出力部と、を備えることを特徴とする再生装置。
【請求項３２】
前記リーダは、ユーザが入力したアドレスを使用して前記マッピングデータを読み込むことを特徴とする請求項３１に記載の再生装置。
【請求項３３】
前記リーダは、前記情報記録媒体に保存されたアドレスを使用して、前記マッピングデータを読み込むことを特徴とする請求項３１に記載の再生装置。
【請求項３４】
前記情報記録媒体からマークアップ言語文書に定義された命令を解析し、前記リーダに前記マッピングデータのアドレスを提供するマークアップ言語解析器をさらに備えることを特徴とする請求項３１に記載の再生装置。
【請求項３５】
前記情報記録媒体からマークアップ言語文書に定義された命令を解析し、前記マッピング処理部に前記マッピングデータのアドレスを提供するマークアップ言語解析器をさらに備えることを特徴とする請求項３１に記載の再生装置。
【請求項３６】
前記データを読み込む前記遠隔位置は、インターネットであることを特徴とする請求項３１に記載の再生装置。
【発明の詳細な説明】
【技術分野】
【０００１】
本発明は、情報記録媒体以外のソースから獲得したオーディオデータを、対応する動画データと共に再生できる情報記録媒体、その再生装置及び方法に関する。
【背景技術】
【０００２】
従来のＤＶＤ装置のような情報記録媒体は、動画データとオーディオデータとを共に保存し、それを共に再生させている。オーディオデータは、情報記録媒体に保存される時に共に保存されるので、以後、他のデータに変更できない。
【０００３】
図１は、ＤＶＤ再生において、一つの動画データに複数のオーディオデータが連結される場合を示す概念図である。ある国家で生成されて保存された動画データについて、色々な国家の言語（英語、韓国語、スペイン語など）でオーディオデータを共に再生するためには、複数の言語で録音された音声データを情報記録媒体に共に保存せねばならない。しかし、動画データを含む記録媒体を製作して販売した以後、他の言語で録音されたオーディオデータを共に再生せねばならない場合がある。また、動画データについて、映画製作者、監督、撮影技師などの説明を入れた付加説明オーディオを製作した場合、既に動画データが含まれた情報記録媒体を、購入したユーザにそれを別途に提供する必要性がある。
【０００４】
そのような場合、従来の情報記録媒体は、情報記録媒体の外部のオーディオデータを情報記録媒体に含まれた動画データと連結して再生できないという問題点がある。
【発明の開示】
【発明が解決しようとする課題】
【０００５】
本発明が解決しようとする技術的課題は、インターネット上のオーディオデータを対応する動画データと共に再生できる情報記録媒体を提供することである。
【０００６】
本発明が解決しようとする他の技術的課題は、情報記録媒体に含まれた動画データと関連したインターネット上のオーディオデータを対応する動画データと共に再生できる再生装置及び方法を提供することである。
【課題を解決するための手段】
【０００７】
前記課題を達成するための情報記録媒体は、動画データと、前記動画データとインターネットから獲得したオーディオデータとのマッピング関係を表すオーディオマッピングデータと、を含み、前記オーディオデータは、前記オーディオマッピングデータによって、前記動画データのうち対応する部分と共に再生されることが望ましい。
【０００８】
前記課題を達成するための再生装置は、情報記録媒体に保存された動画データ、インターネットから獲得したオーディオデータ、及びオーディオマッピングデータを読み込むリーダと、前記オーディオマッピングデータに含まれた前記動画データと前記オーディオデータとのマッピング関係を表す情報を処理して、その内容によって、前記動画データとオーディオデータとの対応関係を指示するマッピング処理部と、前記動画データ及びオーディオデータをデコーディングするデータデコーダと、前記オーディオマッピングデータの内容によって、前記デコーディングされた動画のデータとそれに対応するデコーディングされたオーディオデータとを共に出力するデータ出力部と、を備えることが望ましい。
【０００９】
前記課題を達成するための再生方法は、情報記録媒体に保存された動画データを読み込むステップと、前記動画データとインターネット上のオーディオデータとのマッピング関係を表すオーディオマッピングデータを読み込むステップと、前記オーディオマッピングデータが前記動画データにマッピングしているインターネット上のオーディオデータを読み込むステップと、前記オーディオマッピングデータの内容によって、前記動画データと前記動画データに対応するオーディオデータとを共に再生するステップと、を含むことが望ましい。
【発明を実施するための最良の形態】
【００１０】
以下、添付された図面を参照して、本発明による情報記録媒体、その再生装置及び方法について詳細に説明する。
【００１１】
従来のＤＶＤディスクのような記録媒体は、媒体外部に存在するオーディオデータを媒体に保存されている映像データと連結して再生できる機能を提供しない。本発明では、記録媒体に保存された動画データを再生する時、媒体外部のオーディオデータを読み込んで対応する部分で再生できる記録媒体の構造とその再生装置及び方法を提案する。
【００１２】
図２は、本発明による再生装置の概略的なブロック図である。図２を参照するに、本発明による再生装置は、リーダ１００、データデコーダ１２０、データ出力部１４０、マッピング処理部１６０、及びマークアップ言語解析器１８０を備えることが望ましい。
【００１３】
リーダ１００は、情報記録媒体や、インターネットのような情報記録媒体以外のソースから動画データ、オーディオデータ及びそれらの再生に必要な各種データを読み込む。
【００１４】
データデコーダ１２０は、リーダ１００から読み込んだ動画データとオーディオデータ２とをデコーディングする。
【００１５】
データ出力部１４０は、デコーディングされた動画データとオーディオデータ２０とをオーディオマッピングデータによって共に出力する。
【００１６】
マッピング処理部１６０は、オーディオマッピングデータ４を処理してリーダ１００が読み込むオーディオデータを指示し（３１）、データ出力部１４０に動画データとオーディオデータとの対応関係を指示する（３０）。動画データとオーディオデータとを共に再生するためには、動画データとオーディオデータとのマッピングが必要である。既存の記録媒体であるＤＶＤ記録媒体では、動画データとオーディオデータとの間に１：１対応関係を有していて、一つのファイル構造で多重化されている。インターネットのような情報記録媒体以外のソースから獲得したオーディオデータを、記録媒体に保存された動画データと共に再生するためには、それらの間のマッピング関係を表す情報が要求されるが、本発明による再生装置及び方法では、オーディオマッピングデータを利用して、動画データとオーディオデータとのマッピング関係を表す。オーディオマッピングデータは、動画データが保存された情報記録媒体に共に保存されてもよく、情報記録媒体が製作された以後、インターネットで配布されてもよい。
【００１７】
マークアップ言語解析器１８０は、リーダ１００から読み込んだオーディオマッピングデータがマークアップ言語文書の形式になっている場合、それを解析してリーダ１００にデータを読み込むアドレス情報４１を送ったり、マッピング処理部１６０にマッピング情報４０を送る。マークアップ言語文書とは、ＨＴＭＬ（ハイパーテキストマークアップランゲージ）、ＸＭＬ（エクステンシブルマークアップランゲージ）などのマークアップ言語で作成された文書はもとより、スクリプト言語、Ｊａｖａ（登録商標）言語などで作成されたソースコードがリンクまたは挿入された文書を総称し、さらに、マークアップ言語文書にリンクされたファイルを網羅する意味で使われる。
【００１８】
図３は、本発明による再生装置の望ましい実施例を示す詳細ブロック図である。図３を参照するに、リーダ１００が読み込むデータは、動画データ、オーディオデータ、オーディオマッピングデータ、オーディオリストデータ、及びマークアップ言語文書であることが分かる。
【００１９】
図３では、動画データの例としてＤＶＤデータを示した。ＤＶＤデータの記録媒体であるＤＶＤディスクは、特定形式の記録構造を有する。
【００２０】
図４は、ＤＶＤディスクディレクトリの論理的構造を示す図である。図４を参照するに、ＤＶＤディスク上には、ビデオタイトル全体についてのヘッダ情報が記録されたビデオマネジャー（ＶＭＧ）が保存されており、３個のビデオタイトルセットＶＴＳ  ＃１、ＶＴＳ  ＃２、ＶＴＳ  ＃３が保存されている。ＶＭＧは、コントロールデータが記録されたＶＭＧ情報（ＶＭＧＩ）、ＶＭＧにリンクされたビデオマネジャーメニューのビデオオブジェクトセット（ＶＭＧＭ＿ＶＯＢＳ）、そしてＶＭＧＩのバックアップ（ＢＵＰ）データを含む。ＶＭＧＭ＿ＶＯＢＳは、含まれないこともある。ビデオタイトルセット（ＶＴＳ）は、ヘッダ情報が記録されたビデオタイトルセット情報（ＶＴＳＩ）、メニュー画面を表示するためのビデオオブジェクト（ＶＴＳＭ＿ＶＯＢＳ）、ビデオタイトルを構成するビデオオブジェクト（ＶＴＳＴＴ＿ＶＯＢＳ）、そしてＶＴＳＩのバックアップ（ＢＵＰ）データを含む。ＶＴＳＭ＿ＶＯＢＳは、存在しないこともある。
【００２１】
図５は、ビデオオブジェクトセットの論理的構造を示す図である。ビデオデータを構成するビデオオブジェクトセット（ＶＯＢＳ）は、Ｋ個のビデオオブジェクト（ＶＯＢ）で構成される。ＶＯＢは、Ｍ個のセルで構成される。各セルは、Ｌ個のビデオオブジェクトユニット（ＶＯＢＵ）で構成される。それぞれのＶＯＢＵは、当該ＶＯＢＵの再生または探索に必要な一つのナビゲーションパック（ＮＶ＿ＰＣＫ）を有し、当該ＶＯＢＵを構成するオーディオパック（Ａ＿ＰＣＫ）、ビデオパック（Ｖ＿ＰＣＫ）及びサブピクチャーパック（ＳＰ＿ＰＣＫ）が多重化されて記録されているので、ＩＳＯ−１３８１８規格のＭＰＥＧ構造による。
【００２２】
図６は、ＶＭＧＩ及びＶＴＳＩの構造を示す図である。図６を参照するに、ＶＭＧＩ及びＶＴＳＩは、ＤＶＤディスクを再生するために、タイトル、チャプター、またはタイトルの一部分（パートオブタイトル：ＰＴＴ）についてのユーザの接近情報及びプリゼンテーションのための再生情報を含む。ＶＭＧＩ及びＶＴＳＩの情報を利用して、ユーザは、タイトルにアクセスが可能であり、接近されたタイトルのうち、チャプターまたはＰＴＴにアクセスが可能である。再生装置がタイトルを再生する時には、再生構造であるＰＧＣ（プログラムチェーン）及びＰＧ（プログラム）を探して、それに対応するセル（Ｃ）を探して再生する。それぞれのセルは、ディスクの論理的記録単位であるセルと対応して、論理構造上のセルが指示するＶＯＢＵの動画情報を再生する。
【００２３】
インターネット上のオーディオデータは、一度に読み込んでもよく、オーディオストリーミングサービスを利用して、動画の再生と同時に対応するオーディオデータを読み込んでもよい。
【００２４】
図７は、インターネットオーディオストリーミングの概念図である。最近、インターネットを通じてオーディオデータを伝送するインターネットオーディオストリーミングサービスが発達しつつある。そのようなオーディオストリーミングサービスを通じて、ユーザは、インターネット上のオーディオデータをダウンロードして所望の音楽や音響を聞ける。
【００２５】
図８は、本発明による再生方法の一実施例を示すフローチャートである。図８を参照するに、動画データとインターネット上のオーディオデータとを共に再生するために、まず情報記録媒体に保存された動画データを読み込み（Ｓ５００）、オーディオマッピングデータを読み込み（Ｓ５１０）、オーディオマッピングデータで動画データにマッピングしているインターネット上のオーディオデータを読み込んだ後（Ｓ５２０）、動画データを再生しつつ、対応するオーディオデータを共に再生する（Ｓ５３０）。Ｓ５００及びＳ５１０は、その順序が変わってもよく、オーディオマッピング情報を一回読み込んだ後、複数の動画データについて適用してもよい。また、オーディオストリーミングサービスを利用して、オーディオデータを読み込む場合、Ｓ５２０及びＳ５３０は、同時に進められてもよい。
【００２６】
オーディオマッピングデータは、前記情報記録媒体に保存されてもよく、他の情報記録媒体、遠隔位置、その他のソース、またはインターネット上で読み込んでもよい。オーディオマッピングデータを読み込むソースは、前記のものに限定されず、多様なソースが可能である。
【００２７】
図９は、インターネット上のオーディオマッピングデータを読み込む場合の再生方法の一実施例を示すフローチャートである。図９を参照するに、再生装置に設定されているアドレスを利用するか、または情報記録媒体に保存されたアドレスを利用してオーディオマッピングデータを読み込んだ後（Ｓ６００）、読み込んだオーディオマッピングデータを解析して（Ｓ６１０）、以後にＤＶＤビデオを再生しつつ、再生される部分とマッピングされたオーディオデータとを共に再生する（Ｓ６２０）。そのとき、再生装置にアドレスが設定されている場合とは、ユーザから直接オーディオマッピングデータのアドレスを入力されるか、または以前に情報記録媒体から読み込んだアドレスを利用する場合を称す。
【００２８】
図１０は、情報記録媒体に保存された命令語を実行してオーディオマッピングデータを読み込む場合を示す再生方法のフローチャートである。再生装置には、マークアップ言語文書の形態で所定の命令語が保存されており、そのようなマークアップ言語文書を読み込んで、それをマークアップ言語解析器（図２の１８０）で解析して命令を実行できる。命令語は、ＬｏａｄＡｕｄｉｏＭａｐ（ｕｒｌ）のような形式を有するが、それを実行すれば、変数ｕｒｌが表すインターネットアドレスでオーディオマッピングデータを読み込む（Ｓ７００）。読み込んだオーディオマッピングデータを解析して（Ｓ７１０）、以後にＤＶＤビデオを再生しつつ、再生される部分とマッピングされたオーディオデータとを共に再生する（Ｓ７２０）。
【００２９】
図１１は、オーディオマッピングデータの一実施例の構造を示す概念図である。図１１を参照するに、対応するビデオ動画データ及びオーディオデータについての情報以外にも、オーディオデータの言語や用途についての情報が含まれていることが分かる。図４に示したように、ＤＶＤディスクは、ＶＭＧ及び複数のＶＴＳで構成されている。ＶＭＧには、ＶＭＧＭ＿ＶＯＢＳが含まれ、ＶＴＳには、ＶＴＳＭ＿ＶＯＢＳ及び複数のＶＴＳＴＴ＿ＶＯＢＳが含まれる。それぞれのＶＯＢＳは、情報記録媒体の論理的記録単位であるセルのグループである。図１１のオーディオマッピングデータは、セルのグループであるＶＯＢＳそれぞれに対してオーディオデータをマッピングしていることが分かる。オーディオマッピングデータは、セルのグループ単位でオーディオデータを対応させうるだけでなく、セルそれぞれに対してオーディオデータを対応させてもよい。図１１で、オーディオデータの構造は、直接オーディオデータを表すこともあり、オーディオデータの位置及び種類を表すオーディオメタデータでもありうる。
【００３０】
そのようなオーディオマッピングデータは、マークアップ言語文書の形式で記述されうる。ＸＭＬ叙述方式で、図１１のオーディオマッピング情報の一部を表せば、次の通りである。
【００３１】
＜ａｕｄｉｏ−ｍａｐｐｉｎｇ−ｄａｔａ  ｔｙｐｅ＝ｄｖｄ−ｖｉｄｅｏ  ｌａｎｇ＝ｘｘ  ｃａｐｔｉｏｎ＝ｙｙ＞
＜ｄｖｄ−ｖｉｄｅｏ＞
＜ｖｍｇ＞
＜ｖｍｇｍ＿ｖｏｂｓ＞
＜ａｕｄｉｏ  ｖｏｂ＿ｉｄｎ＝１  ｈｒｅｆ＝ｈｔｔｐ：／／ｍｏｖｉｅ＿ａｕｄｉｏ.ｃｏｍ／ａ.ａｃｐ／＞
＜／ｖｍｇｍ＿ｖｏｂｓ＞
＜／ｖｍｇ＞
＜ｖｔｓ＞
＜ｖｔｓｉｄｎ＝１＞
＜ｖｔｓｍ＿ｖｏｂｓ＞
＜ａｕｄｉｏ  ｖｏｂ＿ｉｄｎ＝１  ｈｒｅｆ＝ｈｔｔｐ：／／ｍｏｖｉｅ＿ａｕｄｉｏ.ｃｏｍ／ｂ.ａｃｐ／＞
＜／ｖｔｓｍ＿ｖｏｂｓ＞
＜／ｖｔｓ＞
＜／ｄｖｄ−ｖｉｄｅｏ＞
＜／ａｕｄｉｏ−ｍａｐｐｉｎｇ−ｄａｔａ＞
動画データは、セル単位で保存されてもよく、また、ビデオクリップ単位で保存されてもよい。図１２は、ビデオクリップ単位で保存された動画データの構造を示す図である。ビデオクリップは、連続的な空間に記録された動画データの記録単位である。そのようなクリップは、動画データを圧縮したＡＶ（Ａｕｄｉｏ/Ｖｉｄｅｏ）ストリームの形態で保存されるが、圧縮されたＡＶストリームを再生するために圧縮された動画データの特性情報がクリップインフォメーション（ｃｌｉｐ  ｉｎｆｏｒｍａｔｉｏｎ）として共に記録される。クリップインフォメーションには、各クリップの動画の属性及び一定の区間単位でランダムアクセスが可能なエントリーポイントの位置情報を記録したエントリーポイントマップが含まれる。動画圧縮技術として多く利用されるＭＰＥＧの場合、このエントリーポイントは、イントラ映像の圧縮を行うＩピクチャーの位置となり、このエントリーポイントマップは、再生のうち順次的な再生ではない、動画の中間からある程度時間が経過した地点を探して再生する時間サーチを行う場合に利用される。すなわち、動画データがビデオクリップ単位で保存される場合、動画データの一部分に対応してオーディオデータが再生される必要がある。
【００３２】
図１２には、クリップ単位で保存された動画データの再生構造として、プレイリスト及びプレイアイテムを共に示した。プレイリストは、再生の基本単位であって、情報記録媒体には、複数のプレイリストが保存される。一つのプレイリストは、複数のプレイアイテムの連結で構成される。プレイアイテムは、クリップの全部または一部に対応してクリップ内の当該部分の再生開始時間及び終了時間を指定する形態を有する。したがって、一つのプレイリストを再生する場合、複数のクリップの部分が連続して再生されるか、またはクリップの一部分が再生されうる。このようなプレイリストにオーディオデータをマッピングすれば、プレイリストに該当するクリップの一部分または複数のクリップの部分が再生される時に対応するオーディオデータを共に再生できる。
【００３３】
ＸＭＬ記述方式として、そのようなプレイリスト単位で動画データにオーディオデータをマッピングするオーディオマッピングデータを表せば、次の通りである。
【００３４】
＜ａｕｄｉｏ−ｍａｐｐｉｎｇ−ｄａｔａ  ｔｙｐｅ＝ｄｖｄ−ｖｉｄｅｏ  ｌａｎｇ＝ｘｘ  ｃａｐｔｉｏｎ＝ｙｙ＞
＜ｄｖｄ−ｖｉｄｅｏ＞
＜ａｕｄｉｏ  ｐｌａｙｌｉｓｔ＝１  ｐｌａｙｉｔｅｍ＝１  ｈｒｅｆ＝ｈｔｔｐ：／／ｍｏｖｉｅ.ｃｏｍ／ｃ.ａｃｐ／＞
＜ａｕｄｉｏ  ｐｌａｙｌｉｓｔ＝１  ｐｌａｙｉｔｅｍ＝１−９  ｈｒｅｆ＝ｈｔｔｐ：／／ｍｏｖｉｅ.ｃｏｍ／ｄ.ａｃｐ／＞
＜／ｄｖｄ−ｖｉｄｅｏ＞
＜／ａｕｄｉｏ−ｍａｐｐｉｎｇ−ｄａｔａ＞
図１３は、ユーザがオーディオリストのうち所望の言語や用途を選択して、それと関連したオーディオデータを動画データと共に再生させる方法を示す図である。それぞれの動画データに対して、各国の言語で録音された複数のオーディオデータがある場合、ユーザが所望する言語を選択できる。また、動画を再生しつつ、録音されたセリフを聞くか、監督などの製作関連付加説明オーディオを聞くか、その用途を選択できる。
【００３５】
図１４は、ユーザが所望する言語を選択する場合、オーディオリストデータの実施例を示す図である。オーディオリストデータは、各言語別に該当するオーディオマッピングデータのアドレスを対応させて、ユーザが所望する言語を選択した場合、再生装置からその言語に対応するオーディオマッピングデータを読み込む。
【００３６】
図１５は、ユーザが所望する用途を選択する場合、オーディオリストデータの実施例を示す図である。オーディオリストデータは、セリフオーディオまたは付加説明オーディオの選択ができるように構成されており、当該用途別にオーディオマッピングデータをリンクする。
【００３７】
そのようなオーディオリストデータを利用すれば、ユーザが多様な言語で録音されたオーディオデータを再生でき、ユーザに多様な用途別にオーディオトラックを提供できる。
【００３８】
オーディオリストデータは、マークアップ言語文書の形態で作成されて情報記録媒体に保存され、それは、マークアップ言語解析器によって解析されて実行される。
【００３９】
本発明は、図面に示された実施例を参考として説明されたが、それは、例示的なものに過ぎず、当業者ならば、それから多様な変形及び均等な他の実施例が可能であるということが分かるであろう。したがって、本発明の真の技術的保護範囲は、特許請求の範囲の技術的思想によって決定されねばならない。
【産業上の利用可能性】
【００４０】
本発明による情報記録媒体とその再生装置及び方法によれば、オーディオマッピングデータを利用して、インターネット上のオーディオデータを情報記録媒体に保存された動画データとマッピングして再生し、オーディオリストデータを利用して、ユーザが言語や用途を選択できることによって、情報記録媒体に保存されていないオーディオデータを提供でき、ユーザに多様な言語及び用途を有するオーディオデータを提供できる。
【図面の簡単な説明】
【００４１】
【図１】ＤＶＤ再生において、一つの動画データに複数のオーディオデータが連結される場合を示す概念図である。
【図２】本発明による再生装置の概略的なブロック図である。
【図３】本発明による再生装置の望ましい実施例を示す詳細ブロック図である。
【図４】ＤＶＤディスクディレクトリの論理的構造を示す図である。
【図５】ビデオオブジェクトセットの論理的構造を示す図である。
【図６】ＶＭＧＩ及びＶＴＳＩの構造を示す図である。
【図７】インターネットオーディオストリーミングの概念図である。
【図８】本発明による再生方法の一実施例を示すフローチャートである。
【図９】インターネット上のオーディオマッピングデータを読み込む場合の再生方法の一実施例を示すフローチャートである。
【図１０】情報記録媒体に保存された命令語を行ってオーディオマッピングデータを読み込む場合を示す再生方法のフローチャートである。
【図１１】オーディオマッピングデータの一実施例の構造を示す概念図である。
【図１２】ビデオクリップ単位で保存された動画データの構造を示す図である。
【図１３】ユーザがオーディオリストのうち所望の言語や用途を選択して、それと関連したオーディオデータを動画データと共に再生させる方法を示す図である。
【図１４】ユーザに所望の言語を選択させる場合、オーディオリストデータの実施例を示す図である。
【図１５】ユーザに所望の用途を選択させる場合、オーディオリストデータの実施例を示す図である。
【図１】
2007501485.tif 000003
【図２】
2007501485.tif 000004
【図３】
2007501485.tif 000005
【図４】
2007501485.tif 000006
【図５】
2007501485.tif 000007
【図６】
2007501485.tif 000008
【図７】
2007501485.tif 000009
【図８】
2007501485.tif 000010
【図９】
2007501485.tif 000011
【図１０】
2007501485.tif 000012
【図１１】
2007501485.tif 000013
【図１２】
2007501485.tif 000014
【図１３】
2007501485.tif 000015
【図１４】
2007501485.tif 000016
【図１５】
2007501485.tif 000017
【国際調査報告】
2007501485.tif 000018